(57)【特許請求の範囲】
【請求項１】
入力操作に応じた信号を出力するための制御回路を搭載する基板を備えたスイッチ装置であって、
前記基板に回転可能に貫通する回転軸と、
この回転軸の一端側に回転操作可能に設けられた回転操作子と、
前記回転軸の他端側に位置し前記制御回路に接続されて前記回転軸の移動状態を検出する軸操作検出センサと、
前記基板に前記回転操作子に略対向する位置に前記制御回路に接続されて複数設けられ、入力操作による利用者の指の近接を検出する入力検出センサと、を具備し、
前記軸操作検出センサは、前記回転操作子の押圧操作に基づいて前記回転軸が軸方向に略沿って移動されたことを検出可能なロータリーエンコーダであり、
前記制御回路は、前記ロータリーエンコーダで前記回転軸の軸方向への移動を検出した時点の前記入力検出センサで検出する状態に応じて所定の信号を出力させる
ことを特徴としたスイッチ装置。
【請求項２】
請求項１に記載のスイッチ装置であって、
前記基板は、入力操作可能な複数のスイッチが配設された
ことを特徴としたスイッチ装置。
【請求項３】
開口部を有するケース体と、
このケース体内に回転可能に配設された回転軸と、
この回転軸の一端側に前記開口部に臨んで回転操作可能に設けられた回転操作子と、
前記回転軸の他端側に位置し前記回転軸の移動状態を検出する軸操作検出センサと、
前記ケース体の開口部の開口縁近傍に複数設けられ、入力操作による利用者の指の近接を検出する入力検出センサと、を具備し、
前記軸操作検出センサおよび前記入力検出センサが接続され入力操作に応じた信号を出力するための制御回路を搭載する基板を備え、
前記回転軸は、前記基板を回転可能に貫通して配設され、
前記軸操作検出センサは、前記回転操作子の押圧操作に基づいて前記回転軸が軸方向に略沿って移動されたことを検出可能なロータリーエンコーダであり、
前記制御回路は、前記ロータリーエンコーダで前記回転軸の軸方向への移動を検出した時点の前記入力検出センサで検出する状態に応じて所定の信号を出力させる
ことを特徴としたスイッチ装置。
【請求項４】
請求項１ないし請求項３のいずれかに記載のスイッチ装置であって、
前記入力検出センサは、静電センサである
ことを特徴としたスイッチ装置。
【請求項５】
請求項１ないし請求項４のいずれかに記載のスイッチ装置であって、
前記入力検出センサは、周方向に略等間隔で配設された
ことを特徴としたスイッチ装置。
【請求項６】
請求項１ないし請求項４のいずれかに記載のスイッチ装置であって、
前記入力検出センサは、前記回転操作子の周縁部近傍および中心部のうちの少なくともいずれか一方に配設された
ことを特徴としたスイッチ装置。
【発明の詳細な説明】
【技術分野】
【０００１】
本発明は、一端側に回転操作可能な回転操作子が設けられた回転軸の移動状態を検出するスイッチ装置に関する。
【背景技術】
【０００２】
従来、電気機器の動作状態を設定入力するリモートコントローラが知られている。このようなリモートコントローラとして、回転操作とこの回転操作方向に交差する方向への押圧操作とが可能でこれら異なる入力操作に応じて異なる信号を出力する構成が知られている（例えば、特許文献１または特許文献２参照）。
【０００３】
特許文献１に記載のものは、ジョグダイヤルの所定量の回動毎に動作するジョグスイッチを連動している。ジョグダイヤルの回動操作の回動方向に沿ってジョグダイヤルに複数の開口部を開設している。ジョグダイヤルの開口部直下に、複数のタクトスイッチを配設している。そして、ジョグダイヤルの開口部を介してタクトスイッチを押圧した後、開口部縁を押して回動しジョグスイッチを操作可能とし、上下動動作と、この上下動動作と交差する方向の回転動作を組み合わせて複数の機能を実行可能としている。
【０００４】
特許文献２に記載のものは、あらかじめ定められた軸方向を回転軸として回転可能に配置されるとともに、あらかじめ定められた軸方向を含む平面に対して垂直な方向に移動可能に配置されたジョグスイッチ部を備えている。さらに、ジョグスイッチ部の回転量および回転方向を検出するジョグ用センサを配設している。また、ジョグスイッチ部を囲むようにして、垂直方向を軸としてシーソー運動可能なシーソースイッチ部を配置している。さらに、シーソースイッチ部が押圧された際にこのシーソースイッチ部の移動量および移動方向を検出するシーソーセンサを配設している。
【０００５】
【特許文献１】特開２００２−１５０８８７号公報
【特許文献２】特開２００２−１５０８８８号公報
【発明の開示】
【発明が解決しようとする課題】
【０００６】
しかしながら、特許文献１または特許文献２に記載のような従来の構成では、回転を検出するセンサとして、回転操作される操作子から回転方向を抽出するセンサと、押圧動作を抽出して検出するセンサとが、互いに干渉しない位置で配設する必要があり、回転子の径方向の大型化や厚さ方向の大型化が生じ、小型化が図りにくいなどの点が一例として挙げられる。
【０００７】
本発明は、このような実情などに鑑みて、簡単な構成で入力操作に応じた異なる複数の信号を出力可能なスイッチ装置を提供することを１つの目的とする。
【課題を解決するための手段】
【０００８】
請求項１に記載の発明は、入力操作に応じた信号を出力するための制御回路を搭載する基板を備えたスイッチ装置であって、前記基板に回転可能に貫通する回転軸と、この回転軸の一端側に回転操作可能に設けられた回転操作子と、前記回転軸の他端側に位置し前記制御回路に接続されて前記回転軸の移動状態を検出する軸操作検出センサと、前記基板に前記回転操作子に略対向する位置に前記制御回路に接続されて複数設けられ、入力操作による利用者の指の近接を検出する入力検出センサと、を具備し、前記軸操作検出センサは、前記回転操作子の押圧操作に基づいて前記回転軸が軸方向に略沿って移動されたことを検出可能なロータリーエンコーダであり、前記制御回路は、前記ロータリーエンコーダで前記回転軸の軸方向への移動を検出した時点の前記入力検出センサで検出する状態に応じて所定の信号を出力させるたことを特徴としたスイッチ装置である。
【０００９】
請求項３に記載の発明は、開口部を有するケース体と、このケース体内に回転可能に配設された回転軸と、この回転軸の一端側に前記開口部に臨んで回転操作可能に設けられた回転操作子と、前記回転軸の他端側に位置し前記回転軸の移動状態を検出する軸操作検出センサと、前記ケース体の開口部の開口縁近傍に複数設けられ、入力操作による利用者の指の近接を検出する入力検出センサと、を具備し、前記軸操作検出センサおよび前記入力検出センサが接続され入力操作に応じた信号を出力するための制御回路を搭載する基板を備え、前記回転軸は、前記基板を回転可能に貫通して配設され、前記軸操作検出センサは、前記回転操作子の押圧操作に基づいて前記回転軸が軸方向に略沿って移動されたことを検出可能なロータリーエンコーダであり、前記制御回路は、前記ロータリーエンコーダで前記回転軸の軸方向への移動を検出した時点の前記入力検出センサで検出する状態に応じて所定の信号を出力させることを特徴としたスイッチ装置である。
【発明を実施するための最良の形態】
【００１０】
以下、本発明の実施の一形態を図面に基づいて説明する。本実施の形態では、例えば電気機器の動作を設定するリモートコントローラを例示して説明するが、電気機器に一体に設けられ電気機器の動作を設定する構成などとしてもよく、無線に限らず、有線として適用してもよい。図１は、本実施の形態におけるリモートコントローラの内部構成を示す概念図である。図２は、リモートコントローラを示す概略的な分解斜視図である。図３は、リモートコントローラの内部構成における回転操作子近傍を示す分解斜視図である。
【００１１】
〔リモートコントローラの構成〕
図１および図２において、１００はリモートコントローラ（以下、リモコンと称す。）で、このリモコン１００は、利用者により所定の入力操作が実施されることにより、無線媒体を介して電気機器の動作を設定入力する装置である。そして、このリモコン１００は、ケース体としての本体ケース２００と、この本体ケース２００内に配設されたスイッチ装置３００と、図示しない電源部と、などを備えている。
【００１２】
本体ケース２００は、例えばアクリロニトリル−ブタジエン−スチレン（ＡＢＳ；Acrylonitrile-Butadiene-Styrene）などの合成樹脂材料にて略矩形状に形成されている。この本体ケース２００は、下面を開口する上ケース２１０と、この上ケース２１０の下面を覆って取り付けられ内部に電気室２０１を区画する下ケース２２０と、を備えている。
【００１３】
上ケース２１０には、長手方向の一端側に略円形に開口形成された開口部２１１と、長手方向の他端側に複数の貫通孔２１２とが設けられている。そして、上ケース２１０の外面には、開口部２１１に隣接する状態に動作内容を示す図示しない記述が設けられている。さらに、上ケース２１０には、長手方向の一端側で下縁に位置して、下方に向けて円弧状に切り欠かれた図示しない上窓部が設けられている。
【００１４】
下ケース２２０には、内部の電気室に区画される乾電池やバッテリなどの電源を収容する電源収容室に連通する図示しない電源開口部が開口形成されている。そして、この図示しない電源開口部には、図示しない蓋部材が着脱可能に取り付けられる。また、下ケース２２０には、長手方向の一端側で上縁に位置して、上方に向けて円弧状に切り欠かれ、上ケース２１０の上窓部に連続して図示しない略円形の信号出力窓部を構成する下窓部が設けられている。
【００１５】
スイッチ装置３００は、図示しない各種電気部品にて構成される制御回路を搭載した略長手板状の基板３１０を有している。そして、この基板３１０は、上ケース２１０の下面や下ケース２２０の上面から一連に突設された図示しないリブにねじなどの図示しない取付部材にて取り付け固定されて本体ケース２００内に配設される。この基板３１０には、赤外線などの無線媒体を出力する図示しない出力部が、本体ケース２００の信号出力窓部に対応する位置に設けられている。
【００１６】
さらに、基板３１０には、長手方向の一端側の一面側に、複数のスイッチである例えばタクトスイッチ３２０が上ケース２１０の貫通孔に対応する位置に複数配設されている。これらタクトスイッチ３２０は、制御回路に電気的に接続され、入力操作されることによりオンオフし、制御回路が所定のタクトスイッチ３２０のオンオフに基づいて所定の信号を出力部から出力させる。
【００１７】
また、基板３１０には、長手方向の他端側に、図１ないし図３に示すように、回転操作スイッチ３３０が設けられている。この回転操作スイッチ３３０は、制御回路に接続され利用者による入力操作に応じた信号を出力部から出力させる。この回転操作スイッチ３３０は、軸操作検出センサとしてのロータリーエンコーダ３３１と、回転軸３３２と、回転操作子３３３と、静電センサシート３３４と、などを備えている。
【００１８】
ロータリーエンコーダ３３１は、制御回路に電気的に接続され、図示しないホルダに保持され、ホルダにて基板３１０に一体的に取り付けられる。このロータリーエンコーダ３３１は、図２および図３に示すように、例えば円柱状の検出子３３１Ａを有し、この検出子３３１Ａの回転量、回転方向および押圧操作に基づく軸方向の押し込み移動を検出し、制御回路に所定の信号を出力する。回転軸３３２は、軸方向の一端がロータリーエンコーダ３３１の検出子３３１Ａに一体的に連結され、基板３１０に設けられた軸孔３１１を回転可能に貫通して配設される。回転操作子３３３は、略円板状に形成され、回転軸３３２の軸方向の他端側に一体的に取り付けられ、上ケース２１０の開口部２１１に臨んで配設される。なお、回転操作子３３３および回転軸３３２は、一体成形により形成された構成としてもよい。
【００１９】
静電センサシート３３４は、シート状に形成され、基板３１０の長手方向の他端側に回転操作子３３３に対向する位置に設けられている。この静電センサシート３３４には、基板３１０の軸孔３１１に対応する略中央に回転軸３３２を挿通する挿通孔３３４Ａが設けられている。そして、静電センサシート３３４は、挿通孔３３４Ａの周りに位置し回転操作子３３３の外周縁近傍に対応する４つの入力検出センサとしての静電センサ３３４Ｂが周方向で略等間隔、すなわち挿通孔３３４Ａを通る直交方向でそれぞれ対向する状態に設けられている。そして、静電センサシート３３４は、回転操作子３３３を利用者が指で回転させる操作の際に指が近接する静電センサ３３４Ｂが指を検知し、各静電センサ３３４Ｂからの信号に基づいて制御回路が指の位置にて操作状況を判定して所定の信号を出力部から出力させる。
【００２０】
〔リモートコントローラの動作〕
次に、上記したリモートコントローラ１００の動作について説明する。なお、電気機器として、画像データや音声データなどを再生出力するＡＶ（Audio-Visual）機器を例示して説明する。なお、上述したように、利用者による入力操作に基づいて動作設定させる電気機器としては、ＡＶ機器に限らず、例えば車載用のナビゲーション装置など、各種電気機器を対象とすることができる。
【００２１】
利用者がリモコン１００における図示しないＡＶ機器の電源オンオフを設定入力するためのタクトスイッチ３２０を押動操作すると、制御回路はこのタクトスイッチ３２０の押動操作に基づくオンを認識すると、出力部から所定の信号を出力する。この信号を検出したＡＶ機器は電源が投入され、例えばメニュー画面などがＡＶ機器の表示部に表示されて次の設定入力の待機状態となる。
【００２２】
この状態で利用者が回転操作スイッチ３３０の回転操作子３３３を回転操作することにより、回転軸３３２とともにロータリーエンコーダ３３１の検出子３３１Ａが回転する。この検出子３３１Ａの回転により、ロータリーエンコーダ３３１は、検出子３３１Ａの回転量および回転方向に応じた信号を制御回路を介して出力部からＡＶ機器へ出力させる。この回転操作子３３３の回転操作に応じた信号より、ＡＶ機器は、表示部に表示されるメニュー画面において選択される各種設定項目が順次切り替わる。
【００２３】
そして、利用者が回転操作子３３３を押動操作することにより、回転軸３３２とともに検出子３３１Ａが押し込み移動され、ロータリーエンコーダ３３１が検出子３３１Ａの押し込み移動に応じた信号を制御回路を介して出力部からＡＶ機器へ出力される。この回転操作子３３３の押圧操作による検出子３３１Ａの押し込み移動に応じた信号により、ＡＶ機器は表示部に表示され選択されている設定項目を実行する処理をする。例えば、ＡＶ機器にて画像データや音声データを再生処理させる。
【００２４】
この状態で、例えば利用者が音量を上げたい場合などでは、上ケース２１０の開口部２１１近傍に設けられた音量を上げる設定となる、例えば「＋」の記述に対応する回転操作子３３３の周縁部を押圧操作する。この入力操作により、「＋」の記述に対応する静電センサ３３４Ｂが利用者の指が近づいたことを検出して制御回路が認識するとともに、ロータリーエンコーダ３３１の検出子３３１Ａの押し込み移動に応じた信号を制御回路が認識する。これらの信号に基づいて、制御回路は、音量を１段階上げる要求に関する信号を出力部から出力する。このことにより、ＡＶ機器が音量を増大させる処理をする。なお、回転操作子３３３の「＋」の記述に対応する回転操作子３３３の周縁部を複数回押圧操作して検出子３３１Ａが検出すると、押圧操作の回数に応じた段階で音量が増大することとなる。
【００２５】
〔リモートコントローラの作用効果〕
上述したように、上記実施の形態では、基板に回転可能に貫通する回転軸３３２の一端側に位置して回転軸３３２の移動状態である回転量、回転方向および押し込み移動を検出するロータリーエンコーダ３３１を設ける。例えばロータリーエンコーダ３３１の検出子３３１Ａに回転軸３３２の一端側を連結するとともに、回転軸３３２の他端側に回転操作可能な回転操作子３３３を設ける。そして、ロータリーエンコーダ３３１が接続される制御回路を搭載した基板３１０に、回転操作子３３３に略対向する位置に複数の静電センサ３３４Ｂを配設する。このように、回転操作子３３３の操作位置を検出するための静電センサ３３４Ｂを、回転操作にて移動されない基板３１０で静電センサ３３４Ｂが接続される制御回路を搭載する基板３１０に設けているので、特別な配線が不要で組立製造性および小型化が容易に得られる。
【００２６】
また、静電センサ３３４Ｂを利用することにより、外周部に検出用のタクトスイッチ３２０のようなメカ的なセンサを実装する場合に比べ、回転操作スイッチ３３０における回転軸３３２の軸方向での厚さ寸法が小さくできる。さらに、基板３１０に回転軸３３２を貫通させて基板３１０の一面側に回転操作子３３３が位置し他面側にロータリーエンコーダ３３１が配設されることとなり、回転操作スイッチ３３０における回転軸３３２の軸方向での厚さ寸法が小さくでき、より小型化が容易に得られる。
【００２７】
そして、回転操作子３３３に対向する基板３１０の面に静電センサシート３３４を設けている。このため、入力操作する指の位置を検出する静電センサ３３４Ｂを回転操作子３３３に近接する位置に配置でき、確実に指の位置を検出できる。特に、入力操作されるタクトスイッチ３２０が実装される面に静電センサシート３３４が設けられるため、面実装されたタクトスイッチ３２０を入力操作できるように上ケース２１０に近接して本体ケース２００内に配設される基板３１０の同一面であることから、入力操作される回転操作子３３３に近接する位置に配置でき、より確実に指の位置を検出できる。
【００２８】
また、動作内容を設定入力するための他のタクトスイッチ３２０が配設される基板３１０に静電センサ３３４Ｂを配設している。このため、制御回路にて統括して入力設定に応じた信号処理ができ、配線が容易にできるとともに小型化が容易にできる。さらに、静電センサ３３４Ｂの電極部は、基板３１０上に銅箔パターンとして形成することも可能であり、基板３１０の作製と同時に静電センサ３３４Ｂの配設を行うこともできる。
【００２９】
そして、回転軸３３２における入力操作に応じた移動状況を検出する構成として、ロータリーエンコーダ３３１を用いている。このため、回転操作子３３３の回転操作および押圧操作を比較的に小型の構成で検出でき、複数の静電センサ３３４Ｂとにより入力操作されている指の位置を検出できる構成との組み合わせにより、回転操作スイッチ３３０としてより多くの設定入力ができ、特にリモコン１００などの小型化が臨まれる構成に好適である。
【００３０】
また、静電センサシート３３４として、静電センサ３３４Ｂを周方向で略等間隔に配設した構成としている。このため、複数の静電センサ３３４Ｂが利用者の指を検出して誤作動することを容易に防止できる。
【００３１】
そして、ロータリーエンコーダ３３１として検出子３３１Ａの押し込み移動を検出し、この押し込み移動を検出した時点での所定の静電センサ３３４Ｂが利用者の入力操作する指を検出することで、制御回路が所定の信号を出力、すなわち静電センサ３３４Ｂの位置に対応する設定内容を、押し込み移動により設定する制御により、利用者の利用勝手がよい回転操作子３３３による複数の動作内容の設定操作を提供できる。
【００３２】
また、通常、静電センサ３３４Ｂは、動作中に検出部へ通電し続ける必要があり、乾電池での動作を前提とするようないわゆるリモコンでは採用が困難であったが、上述したように、押し込み移動を検出した時点でのみ静電センサ３３４Ｂにより利用者の入力操作時における指の検出に利用することにより、消費電力が抑えられ、いわゆるリモコンでも使うことが可能になるものである。
【００３３】
〔実施の形態の変形〕
なお、本発明は、上述した実施の一形態に限定されるものではなく、本発明の目的を達成できる範囲で以下に示される変形をも含むものである。
【００３４】
すなわち、回転操作子３３３とロータリーエンコーダ３３１の検出子３３１Ａとを回転軸３３２で連結する構成としたが、例えば検出子３３１Ａを長く設定して回転軸とし、この検出子３３１Ａの先端に回転操作子３３３を直接連結したり、回転操作子３３３の一面側の略中央に設けた連結部を回転軸とし、検出子３３１Ａに連結部を直接連結したりするなどしてもよい。
【００３５】
また、複数の静電センサ３３４Ｂを有した静電センサシート３３４を用いて説明したが、各静電センサ３３４Ｂを基板３１０のプリントパターンとすることにより、実装コストの低減や実装面積の縮小を実現できる。
【００３６】
そして、基板３１０に設けたが、利用者の回転操作子３３３の入力操作時に指の位置を検出できる位置に静電センサ３３４Ｂを設けた構成としてもよい。すなわち、図４および図５に示すように、本体ケース２００に設けてもよい。なお、図４および図５は、上記図１ないし図３に示す実施の形態と同等の構成については同一の符号を付して説明を省略および簡略化する。
【００３７】
この図４および図５に示す実施の形態では、回転操作子３３３が臨む上ケース２１０の開口部２１１の開口縁近傍に位置して、上ケース２１０の下面側に略等間隔で４つ、すなわち開口部２１１の中心を通る直交する方向で対向する状態に静電センサ３３４Ｂを配設している。
【００３８】
なお、これら静電センサ３３４Ｂは、基板３１０を取り付ける際に基板３１０に電気的に接続したり、既に静電センサ３３４Ｂを電気的に接続した基板３１０を上ケース２１０に取り付け後、開口部２１１を介して上ケース２１０に貼り付け、回転操作子３３３を基板に取り付けられロータリーエンコーダ３３１に連結する回転軸３３２に取り付けたりするなどの組立方法が例示できる。
【００３９】
この図４および図５に示すような構成とすることで、回転操作スイッチ３３０における回転軸３３２の軸方向における厚さ寸法をより小さくできるとともに、基板３１０に静電センサ３３４Ｂを設ける領域を確保する必要がなく、上述した図１ないし図３に示す実施の形態と同様に組立製造性および小型化が容易に得られる。さらに、基板３１０における静電センサ３３４Ｂを設ける制約がなく、より小型化が得られる。
【００４０】
また、回転軸３３２の移動状況を検出する軸操作検出センサとしてロータリーエンコーダ３３１を用いて説明したが、この構成に限らず、他のいずれのものが利用できる。例えば、回転軸３３２の押し込み移動のみ検出可能な構成を利用し、回転軸３３２の回転方向や回転量は複数の静電センサ３３４Ｂにて制御回路にて検出する構成としてもよい。さらには、例えば、回転軸３３２の回転量や回転方向のみを検出可能な構成として、静電センサ３３４Ｂに指が位置する時間長により制御回路にて押圧操作として検出する構成としてもよい。
【００４１】
また、タクトスイッチ３２０が配設される基板３１０に回転操作スイッチ３３０を設ける構成としたが、この構成に限らない。例えばタクトスイッチ３２０を有さず、回転操作スイッチ３３０のみのリモコン１００の構成としたり、基板３１０を分割し、タクトスイッチ３２０が設けられる基板３１０と、回転操作スイッチ３３０が配設される基板３１０とに基板３１０を分割し、互いの基板を結線したり、別途制御回路が搭載された基板３１０に接続したりするなどしてもよい。さらには、タクトスイッチ３２０に限らず、他のスイッチが設けられた構成としてもよい。
【００４２】
そして、静電センサ３３４Ｂを周方向で略等間隔に配設して説明したが、設定入力する動作内容の項目に応じて適宜所定の位置に不等間隔で配設するなどしてもよい。さらに、基板３１０の回転操作子３３３に対向する位置に設けて説明したが、例えばロータリーエンコーダ３３１が設けられる側の面に配設したり、回転操作子３３３の周縁に対応する位置に配設したりしてもよい。さらには、図６に示すように、回転操作子３３３の中心部に対応する位置にも設けたり、中心部に対応する位置のみに設けたりするなどしてもよい。
【００４３】
また、入力操作による利用者の指の近接を検出するセンサとしては、静電センサ３３４Ｂに限られない。すなわち、基板３１０上に静電センサ３３４Ｂを設けた構成を例示したが、より利用者の入力操作における指に近い位置に電極を拡張することにより、感度の向上や誤作動の低減などを図ることもできる。例えば図７に示すように、本体ケース２００の表面に入力検出センサとしての電極５０１を配置し、摺動子５０２により基板３１０上のパターンに接続した構成としてもよい。さらに、例えば図８に示すように、基板３１０条に突起物状の入力検出センサとしての導電体５１１を形成し、この導電体５１１の端部が本体ケース２１０の表面まで至り電極を伸ばしたような構成としてもよい。これらのような構成でも、利用者の指が回転操作子３３３を回転操作する際に電極５０１や導電体５１１に接触することで、指の位置を認識することができる。
【００４４】
その他、本発明の実施の際の具体的な構造および手順は、本発明の目的を達成できる範囲で他の構造などに適宜変更できる。
【００４５】
〔実施の形態の効果〕
上述したように、基板３１０に回転可能に貫通する回転軸３３２の一端側に位置して回転軸３３２の移動状態を検出するロータリーエンコーダ３３１を設けるとともに、回転軸３３２の他端側に回転操作可能な回転操作子３３３を設ける。そして、ロータリーエンコーダ３３１が接続される制御回路を搭載した基板３１０に、回転操作子３３３に略対向する位置に複数の静電センサ３３４Ｂを配設する。このため、回転操作子３３３の操作位置を検出するための静電センサ３３４Ｂを、回転操作にて移動されない基板３１０で静電センサ３３４Ｂが接続される制御回路を搭載する基板３１０に設けているので、特別な配線が不要で組立製造性および小型化が容易に得られる。
【００４６】
また、本体ケース２００内に回転可能に配設される回転軸３３２の一端側に本体ケース２００の開口部２１１に回転操作可能に臨む回転操作子３３３を設けるとともに、回転軸３３２の他端側に位置して回転軸３３２の移動状況を検出するロータリーエンコーダ３３１を設ける。そして、本体ケース２００の開口部２１１の開口縁近傍に位置して複数の静電センサ３３４Ｂを設けている。このため、回転操作子３３３の操作位置を検出するための静電センサ３３４Ｂを、回転操作にて移動されず利用者の指が近接する本体ケース２００の開口縁近傍に設けているので、配線が比較的に容易にでき、組立製造性および小型化が容易に得られる。
【図面の簡単な説明】
【００４７】
【図１】本発明における実施の一形態に係るリモートコントローラの内部構成を示す概念図である。
【図２】前記実施の一形態におけるリモートコントローラを示す概略的な分解斜視図である。
【図３】前記実施の一形態におけるリモートコントローラの内部構成における回転操作子近傍を示す分解斜視図である。
【図４】本発明における他の実施の形態に係るリモートコントローラの内部の概念構成を示す一部を切り欠いたの側面断面図である。
【図５】前記他の実施の形態におけるリモートコントローラの概略構成を示す平面図である。
【図６】本発明におけるさらに他の実施の形態に係るリモートコントローラの内部構成における回転操作子近傍を示す分解斜視図である。
【図７】本発明におけるさらに他の実施の形態に係るリモートコントローラの内部の概念構成を示す一部を切り欠いたの側面断面図である。
【図８】本発明におけるさらに他の実施の形態に係るリモートコントローラの内部の概念構成を示す一部を切り欠いたの側面断面図である。
【符号の説明】
【００４８】
１００……スイッチ装置として機能するリモートコントローラ（リモコン）
２００……ケース体としての本体ケース
２１１……開口部
３００……スイッチ装置
３１０……基板
３２０……スイッチとしてのタクトスイッチ
３３１……軸操作検出手段としてのロータリーエンコーダ
３３２……回転軸
３３３……回転操作子
３３４Ｂ…入力検出センサとしての静電センサ
５０１……入力検出センサとしての電極
５１１……入力検出センサとしての導電体
【図１】
0004608385.tif 000002
【図２】
0004608385.tif 000003
【図３】
0004608385.tif 000004
【図４】
0004608385.tif 000005
【図５】
0004608385.tif 000006
【図６】
0004608385.tif 000007
【図７】
0004608385.tif 000008
【図８】
0004608385.tif 000009